(57)【特許請求の範囲】
【請求項１】
用紙に画像を形成する画像形成手段と、
前記用紙をＺ折りするＺ折り手段と、
前記用紙にスティプル綴じ処理を行う綴じ手段と、
前記用紙に前記スティプル綴じ処理以外の綴じ処理を行う製本手段と、
前記用紙の搬送方向を逆転して前記製本手段に案内する案内手段と、
前記綴じ手段と前記製本手段とのいずれかを選択する選択手段と、を有し、
前記画像形成手段の用紙搬送方向の下流側に、上流側から下流側に向かって前記Ｚ折り手段、前記製本手段、前記綴じ手段の順に接続されており、前記選択手段によって前記製本手段が選択された場合に、前記Ｚ折り手段による用紙のＺ折りを禁止することを特徴とする画像形成システム。
【請求項２】
製本モードの選択入力を受け付ける操作手段を有し、
前記操作手段により受け付けられた選択入力に基づいて、前記スティプル綴じ処理以外の製本モードが選択入力された場合に、表紙及び裏表紙について、前記Ｚ折り手段によるＺ折りを禁止することを特徴とする請求項１記載の画像形成システム。
【請求項３】
前記操作手段は、受け付けた製本モードが前記スティプル綴じ処理以外の製本モードである場合に、前記Ｚ折り手段による用紙のＺ折りの禁止を解除するか否かの選択入力を受け付け、
前記Ｚ折り手段は、前記操作手段により受け付けられた選択入力に基づいて、用紙のＺ折りを行うことを特徴とする請求項２記載の画像形成システム。
【請求項４】
前記操作手段により受け付けられた選択入力に基づいて、前記スティプル綴じ処理以外の製本モードが選択入力された場合に、サイズの異なる用紙の混載を禁止することを特徴とする請求項２または請求項３記載の画像形成システム。
【請求項５】
前記操作手段により受け付けられた選択入力に基づいて、前記スティプル綴じ処理以外の製本モードが選択入力された場合に、表紙及び裏表紙について、サイズの異なる用紙の混載を禁止することを特徴とする請求項２から請求項４の何れか１項に記載の画像形成システム。
【請求項６】
前記操作手段は、受け付けた製本モードが前記スティプル綴じ処理以外の製本モードである場合に、サイズの異なる用紙の混載の禁止を解除するか否かの選択入力を受け、
前記操作手段により受け付けられた選択入力に基づいて、サイズの異なる用紙の混載を行うことを特徴とする請求項４または請求項５記載の画像形成システム。
【請求項７】
前記製本手段は、リング部材を用いて用紙を綴じる処理を行うことを特徴とする請求項１から請求項６の何れか１項に記載の画像形成システム。
【発明の詳細な説明】
【技術分野】
【０００１】
本発明は、製本機能を有する画像形成システムに関する。
【背景技術】
【０００２】
表紙と背と裏表紙の３面を貼り込む事で製本を行う、いわゆるテープ製本という冊子の形態、用紙束の綴じ側の辺に多数個の穴を穿孔した後、金属コイルや、プラスチック製のリングなどを穴に通すことで用紙束を綴じる、いわゆるリング製本という形態、表紙と背と裏表紙が連続した用紙を用いて、用紙束をくるんで背を接着することで冊子を形成する、いわゆるくるみ製本なども、製本の形態の種類として広く一般に知られている。
【０００３】
近年、コピー・プリンター等の画像形成装置、画像形成システムにおいて、それらから出力されるドキュメントに対する後処理として、各種の形態の製本への要求が高まってきており、より多彩な後処理が可能な機械が求められてきている。それに伴い、従来からあるスティプルによる端面綴じに加え、用紙束の中央部をスティプル綴じして２つ折りしたいわゆる中綴じ冊子が作成可能な用紙後処理装置や、整合した用紙端面を接着剤付テープ等で接着固定して製本するテープ製本装置、用紙の綴じ側の辺に多数個の穴を穿孔した後、用紙束を整合し、この穴に金属コイルやプラスチック製のリングなどを通すことで用紙束を綴じて冊子を形成する、いわゆるリング製本装置、表紙と背と裏表紙が連続した用紙を用いて、用紙束をくるんで背を接着することで冊子を形成する、いわゆるくるみ製本を行う装置なども登場している。
【０００４】
従来からの画像形成装置に連結される後処理装置が有する一般的な機能の一つに、用紙をＺ折りして半分のサイズに仕上げる、いわゆるＺ折りという機能がある。この機能により、例えばＡ４の用紙を綴じた冊子の中に、Ａ３サイズの用紙を混載して、Ａ４サイズの冊子として仕上げる事が可能になる。上述したテープ製本、リング製本、くるみ製本等においては、従来のスティプル綴じの冊子を作成するよりも、用紙サイズや綴じ枚数等に自由度が低い場合があり、Ｚ折りした用紙を混載した場合、用紙束の整合や、綴じの工程で用紙の揃え不良や綴じ不良などの不具合が発生する場合があった。加えて、Ｚ折り用紙の混載枚数や、混載位置によっては、綴じ後の搬送性に支障が出たり、用紙がめくれたり、ジャムしたりする場合もあった。また、サイズの異なる用紙のＺ折り等を行わない状態で同一の冊子内に混載することも、同様の用紙の揃え不良や綴じ不良などの不具合が発生する場合があった。
【０００５】
上述したＺ折り機能に関連して、Ｚ折りされた用紙を含む用紙束の周辺を切断したとき、折り目部分が切除されることによってＺ折りされた用紙が分離してしまう事態を防止することのできる技術が開示されている（例えば、特許文献１）。また、Ｚ折り処理をした場合には、重ね合わせを禁止することで、Ｚ折り処理をした用紙より重合部上流の用紙搬送路が塞がれることや、折った用紙を重ねることにより用紙搬送路又は重合部でのジャムの発生を防ぐ技術も提案されている（例えば、特許文献２）。
【０００６】
さらに、Ｚ折り処理をしている間に、Ｚ折りしない用紙が追い越して先に後処理側に排出されることでＺ折り処理時にかかる時間を有効に使用する技術も開示されている（例えば、特許文献３）。
【発明の概要】
【発明が解決しようとする課題】
【０００７】
しかしながら、上述したＺ折に関連する技術では、冊子内へのＺ折りの混載する位置や枚数などの条件によっては、問題無く混載可能な場合もあり、システムの機能としての設定対応に大きな問題があった。
【０００８】
本発明はこのような実情を鑑みてなされたものであり、用紙束の揃え不良や綴じ不良の発生を未然に防ぐ画像形成システムを提供することを目的とする。
【課題を解決するための手段】
【０００９】
本発明にかかる画像形成システムは、
用紙に画像を形成する画像形成手段と、
前記用紙をＺ折りするＺ折り手段と、
前記用紙にスティプル綴じ処理を行う綴じ手段と、
前記用紙に前記スティプル綴じ処理以外の綴じ処理を行う製本手段と、
前記用紙の搬送方向を逆転して前記製本手段に案内する案内手段と、
前記綴じ手段と前記製本手段とのいずれかを選択する選択手段と、を有し、
前記画像形成手段の用紙搬送方向の下流側に、上流側から下流側に向かって前記Ｚ折り手段、前記製本手段、前記綴じ手段の順に接続されており、前記選択手段によって前記製本手段が選択された場合に、前記Ｚ折り手段による用紙のＺ折りを禁止することを特徴とする。
【発明の効果】
【００１１】
本発明によれば、用紙束の揃え不良や綴じ不良の発生を未然に防止することが可能となる。
【図面の簡単な説明】
【００１２】
【図１】本実施形態に係る画像形成システムの外観例を示す図である。
【図２】本実施形態に係る画像形成システムにおけるリングバインダー装置の概略構成の例を示す図である。
【図３】本実施形態に係る画像形成システムにより作成される、リングバインド冊子の例を示す外観図である。
【図４】本実施形態に係る画像形成システムにおいて、テープ製本、リング製本及びくるみ製本などのスティプル綴じ以外の製本モードを選択した場合の、用紙のＺ折りの禁止及び異サイズ混載の禁止動作の例を示すフローチャートである。
【図５】本実施形態に係る画像形成システムにおいて、テープ製本、リング製本及びくるみ製本などのスティプル綴じ以外の製本モードを選択した場合の、用紙のＺ折りの禁止、異サイズ混載の禁止、表紙裏表紙へのＺ折り混載の禁止及び表紙裏表紙への異サイズ混載の禁止動作をユーザの操作により解除する処理の流れの例を示すフローチャートである。
【図６】本実施形態に係る画像形成システムにおいて、テープ製本、リング製本及びくるみ製本などのスティプル綴じ以外の製本モードを選択した場合の、用紙のＺ折りの禁止、異サイズ混載の禁止、表紙裏表紙へのＺ折り混載の禁止及び表紙裏表紙への異サイズ混載の禁止動作をサービス担当者の操作により解除する処理の流れの例を示すフローチャートである。
【図７】本実施形態に係る画像形成装置において、Ｚ折り用紙を混載可能にするための入力を行う操作パネルの例を示す図である。
【図８】リングバインド冊子へのＺ折り用紙の混載の例を示す図である。
【図９】本実施形態に係る画像形成システムにおいて、テープ製本、リング製本及びくるみ製本などのスティプル綴じ以外の製本モードを選択した場合であって、用紙のＺ折りの禁止及び異サイズ混載の禁止動作をユーザの操作により解除する処理の流れの例を示すフローチャートである。
【図１０】本実施形態に係る画像形成システムにおいて、テープ製本、リング製本及びくるみ製本などのスティプル綴じ以外の製本モードを選択した場合であって、用紙のＺ折りの禁止及び異サイズ混載の禁止動作をサービス担当者の操作により解除する処理の流れの例を示すフローチャートである。
【発明を実施するための形態】
【００１３】
以下に本発明の実施形態について、図面を用いて詳細に説明する。
【００１４】
図１は、本実施形態に係る画像形成システムの外観例を示す。本実施形態に係る画像形成システムの概略構成の例について、図１に示す図を用いて詳細に説明する。図示するように、本実施形態に係る画像形成システムは、画像形成装置１、ＡＤＦ（Automayic Document Feeder）２、表示装置付きの操作パネル３、インサータ４、用紙トレイ５、６、Ｚ折り装置７、リングバインダー装置８、用紙後処理装置９を備える。
【００１５】
本実施形態では、画像形成装置本体１の例としてＭＦＰ（MultiFunction Peripheral）を示している。画像形成装置１は、ＡＤＦ２を備え、表示装置付きの操作パネル３を有している。操作パネル３は、ユーザからの製本モード等の選択入力を受け付ける。製本モードは、リング製本モード、テープ製本モード、くるみ製本モード、スティプル綴じ製本モード等がある。また、操作パネル３は、後述するＺ折りモードやサイズ混載モード等の入力も受け付ける。
【００１６】
ＡＤＦ２の下流にはインサータ４を連結している。インサータ４は、２つの用紙トレイ５、６を有し、画像形成済みの用紙や、画像形成装置１を通すことができないシートを冊子の中に挿入することが可能である。インサータ４の下流にはＺ折り装置７を有する。Ｚ折り装置７は、例えばＡ３の縦送りの用紙をＺ折りして、Ａ４横送りのサイズにすることができる。その下流にはリングバインダー８を連結している。リング製本する冊子の用紙は、リングバインダー８の中で多穴のパンチ穴を穿孔し、整合され、リング綴じされる。最下流には用紙後処理装置９が連結している。用紙後処理装置９についての詳しい機能の説明は省略するが、１〜４穴程度までのパンチ装置やスティプル装置などを内蔵し、各種のスティプル綴じや用紙の整合などを行うことが可能である。以下、画像形成システムが製本装置としてリング製本を行う装置を備える場合を例に挙げて説明するが、テープ製本やくるみ製本を行う製本装置等を１つ又は複数備えるようにしてもよい。
【００１７】
図２は、本実施形態に係る画像形成システムにおけるリングバインダー装置８の概略構成の例を示す。本実施形態に係る画像形成システムにおけるバインダー装置８の概略構成の例について、図２に示す図を用いて詳細に説明する。図示するように、本実施形態に係る画像形成システムにおけるリングバインダー装置８は、水平搬送路１０、反転ローラ１１、切り替え爪１２、整合トレイ１３、ジョガー１４、搬送ローラ１５、パンチユニット１６、ダイ１７、ポンチ１８、カム１９、突き当てストッパ２０、整合トレイ２２、横揃えジョガー２３、タタキコロ２４、クランプ２５、リングカートリッジ保持部２６、リングカートリッジ２７、リング２８、リングバインド部２９、束搬送部３０、放出爪３１、最終束搬送部３２、スタックトレイ３４、を備える。
【００１８】
リングバインダー装置８の水平搬送路１０は、画像形成装置本体１や、インサータ４から給紙された用紙を搬送する。用紙をリング綴じしない場合には、そのまま水平搬送し、下流の用紙後処理装置８に搬送する。リング綴じする場合には、水平搬送路１０下流にある反転ローラ１１は、用紙をスイッチバックする。その際、切り替え爪１２を切り替え、用紙を斜め下のパンチ部へと運ぶ。
【００１９】
パンチ部では、整合トレイ１３上で、横揃えの為のジョガー１４が用紙の横方向を揃え、先端突き当てストッパ２０に用紙を突き当て、横方向と搬送方向の用紙の位置を決める。用紙が先端突き当てストッパ２０に突き当たる際、トルクリミッタ付きの搬送ローラ１５によって搬送力を付与することで、用紙先端のダメージを無くしている。用紙の位置を決めたところで、パンチユニット１６の内部のカム１９を回転し、ポンチ１８を押し下げ、ダイ１７との間で用紙に穴を穿孔する。このパンチユニット１６は、リング綴じ用の多穴のパンチである。パンチ穴の穿孔が終了した用紙は、先端突き当てストッパ２０が解除され、さらに下流へ搬送される。
【００２０】
次に用紙を整合部へ搬送する。整合部では、冊子にする多数枚の用紙を１枚ずつ受け入れて整合しながら積載してゆく。整合トレイ２２は、横揃えジョガー２３や用紙の搬送方向へ用紙を押さえ付けるタタキコロ２４などを備え、図示しないフェンスに用紙の搬送方向を揃えつつ、ジョガー２３によって横方向を揃える。整合トレイ２２上に冊子にする枚数分の用紙が積載、整合された後、クランプ２５によって、用紙の綴じ側近傍を加圧保持する。
【００２１】
リングカートリッジ保持部２６内には、リングカートリッジ２７を収めており、その中にはリング２８を多数スタックしている。本実施形態の例では、円周を３分割したタイプのプラスチックリングを示している。リングバインド部２９がリングカートリッジ２７の下部へ、回動してリング２８を取りにゆく。リングバインド部２９がリングを１本保持した状態で、クランプ部２５の下へ回動し、用紙束の下端にあけられた穴にリング２８を通し、図示しないバインド機構によってリング綴じを行う。
【００２２】
回動する束搬送部３０がクランプ部２５の下へ移動した後、クランプ２５が解除され、束搬送部３０のベルトに設けられた放出爪３１はリング綴じが行われた冊子を受け取ることで、冊子を束搬送部３０に乗せ換える。その後、束搬送部３０は反時計回りに回動し、最終束搬送部３２と略直線となる位置まで移動する。そして、束搬送部３０のベルトに設けられた放出爪３１によって、最終束搬送部３２まで冊子を受け渡す。最終束搬送部３２からは、同じくベルトに設けられた放出爪３３によって冊子を搬送し、冊子をスタックトレイ３４に排出する。
【００２３】
図３は、本実施形態に係る画像形成システムにより作成される、リングバインド冊子の例を示す。用紙束６０の端部近傍にパンチ穴６２が多数開け、リング６３で綴じることで冊子を形成している。
【００２４】
（実施形態１）
図４は、本実施形態に係る画像形成システムにおいて、ユーザがテープ製本、リング製本及びくるみ製本などのスティプル綴じ以外の製本モードを選択入力した場合の、用紙のＺ折り混載を禁止する動作及び異サイズ混載を禁止する動作の例を示す。本実施形態では、ユーザがテープ製本、リング製本及びくるみ製本などのスティプル綴じ以外の製本モードを選択入力した場合の用紙のＺ折り混載を禁止する動作及び異サイズ混載を禁止する動作の流れの例について図４に示すフローチャートを用いて詳細に説明する。
【００２５】
まず、画像形成装置１は、操作パネル３によりユーザから受け付けた製本モードの選択入力から、製本モードとしてスティプル端面綴じモードが選択されたか否かを判断する（ステップＳ４０１）。選択された製本モードがスティプル端面綴じモードであると判断した場合（ステップＳ４０１／ＹＥＳ）、画像形成装置１は、印刷処理を開始する（ステップＳ４０２）。画像形成装置１は、部の最終紙を出力したか否かを判断し（ステップＳ４０３）、部の最終紙を出力していないと判断した場合（ステップＳ４０３／ＮＯ）は、上記ステップＳ４０３に戻り、部の最終紙を出力するまで印刷処理を続ける。部の最終紙が出力されると（ステップＳ４０３／ＹＥＳ）、用紙後処理装置９は、スティプル綴じを行う（ステップＳ４０４）。次に、画像形成装置１は、ＪＯＢの最終部を出力したか否かを判断し（ステップＳ４０５）、ＪＯＢの最終部を出力していない場合（ステップＳ４０５／ＮＯ）は、ＪＯＢの最終部を出力するまで、上記ステップＳ４０２、Ｓ４０３、Ｓ４０４の動作を繰り返し行う。ＪＯＢの最終部が出力されると（ステップＳ４０５／ＹＥＳ）、画像形成システムは停止する。
【００２６】
一方、製本モードとしてスティプル端面綴じモードが選択されていないと判断した場合（ステップＳ４０１／ＮＯ）、画像形成装置１は、Ｚ折りモードが選択されたか否かを判断する（ステップＳ４０６）。Ｚ折りモードが選択されていないと判断した場合（ステップＳ４０６／ＮＯ）、画像形成装置１は、サイズ混載モードが選択されたか否かを判断する（ステップＳ４０７）。サイズ混載モードが選択されたと判断した場合（ステップＳ４０７／ＹＥＳ）は、画像形成システムは動作を停止し、画像形成システムを停止する旨とサイズ混載を禁止する旨の表示を出力する（ステップＳ４１４）。サイズ混載モードが選択されていないと判断した場合（ステップＳ４０７／ＮＯ）は、印刷処理を開始する（ステップＳ４０８）。
【００２７】
印刷処理を開始すると、画像形成装置１は、部の最終紙を出力したか否かを判断し（ステップＳ４０９）、部の最終紙を出力していないと判断した場合（ステップＳ４０９／ＮＯ）は、上記ステップＳ４０９に戻り、部の最終紙を出力するまで印刷処理を続ける。部の最終紙が出力されると（ステップＳ４０９／ＹＥＳ）、各製本装置は、スティプル端面綴じ以外の製本動作を行う（ステップＳ４１０）。次に、画像形成装置１は、ＪＯＢの最終部を出力したか否かを判断し（ステップＳ４１１）、ＪＯＢの最終部を出力していない場合（ステップＳ４１１／ＮＯ）は、ＪＯＢの最終部を出力するまで、上記ステップＳ４０８、Ｓ４０９、Ｓ４１０の動作を繰り返し行う。ＪＯＢの最終部が出力されると（ステップＳ４１１／ＹＥＳ）、画像形成システムは停止する。
【００２８】
上記ステップＳ４０６の処理で、Ｚ折りモードが選択されたと判断した場合（ステップＳ４０６／ＹＥＳ）は、画像形成装置１は、サイズ混載モードが選択されたか否かを判断する（ステップＳ４１２）。サイズ混載モードが選択されていないと判断した場合（ステップＳ４１２／ＮＯ）は、画像形成システムは動作を停止し、画像形成システムを停止する旨とＺ折り混載を禁止する旨の表示を出力する（ステップＳ４１３）。一方、サイズ混載モードが選択されたと判断した場合（ステップＳ４１２／ＹＥＳ）も、画画像形成システムは動作を停止し、画像形成システムを停止する旨とＺ折り及びサイズ混載を禁止する旨の表示を出力する（ステップＳ４１４）。
【００２９】
本実施形態により、ユーザがテープ製本、リング製本及びくるみ製本などのスティプル綴じ以外の製本モードを選択すると、用紙のＺ折りモード及びサイズ用紙混載モードを選択していた場合、あるいは選択しようとした場合には、用紙のＺ折り及び異サイズ用紙混載を禁止し、ユーザがＺ折りモード及びサイズ用紙混載モードを選択すること不可能とする。そのため、用紙束６０の揃え不良の発生や、綴じ不良の発生を未然に防ぐ事が可能な高機能な画像形成システムを提供する事が可能となる。
【００３０】
尚、本実施形態では、ユーザがスティプル綴じ以外の製本モードを選択した場合には、Ｚ折り及びサイズ混載を禁止する例を挙げて説明したが、これに限定されるものではない。例えば、冊子の表紙又は裏表紙にＺ折りやサイズ混載がある場合にのみ冊子全てについてＺ折りやサイズ混載を禁止することや、冊子の表紙又は裏表紙についてのみＺ折りやサイズ混載を禁止することも可能である。また、冊子の表紙又は裏表紙にＺ折りやサイズ混載があるか否かの判断は、ユーザに入力させることや画像形成装置に判断させることも可能である。
【００３１】
（実施形態２）
図５は、本実施形態に係る画像形成システムにおいて、ユーザがテープ製本、リング製本及びくるみ製本などのスティプル綴じ以外の製本モードを選択入力した場合に、用紙のＺ折りの禁止、異サイズ混載の禁止、表紙裏表紙へのＺ折り混載の禁止及び表紙裏表紙への異サイズ混載の禁止動作をユーザの操作により解除する処理の流れの例を示す。本実施形態では、ユーザがテープ製本、リング製本及びくるみ製本などのスティプル綴じ以外の製本モードを選択入力した場合に、用紙のＺ折りの禁止、異サイズ混載の禁止、表紙裏表紙へのＺ折り混載の禁止及び表紙裏表紙への異サイズ混載の禁止動作をユーザの操作により解除する処理の流れの例について、図５に示すフローチャートを用いて詳細に説明する。
【００３２】
まず、画像形成装置１は、操作パネル３によりユーザから受け付けた製本モードの選択入力から、製本モードとしてスティプル端面綴じモードが選択されたか否かを判断する（ステップＳ５０１）。選択された製本モードがスティプル端面綴じモードであると判断した場合（ステップＳ５０１／ＹＥＳ）、画像形成装置１は、印刷処理を開始する（ステップＳ５０２）。画像形成装置１は、部の最終紙を出力したか否かを判断し（ステップＳ５０３）、部の最終紙を出力していないと判断した場合（ステップＳ５０３／ＮＯ）は、上記ステップＳ５０３に戻り、部の最終紙を出力するまで印刷処理を続ける。部の最終紙が出力されると（ステップＳ５０３／ＹＥＳ）、用紙後処理装置９は、スティプル綴じを行う（ステップＳ５０４）。次に、画像形成装置１は、ＪＯＢの最終部を出力したか否かを判断し（ステップＳ５０５）、ＪＯＢの最終部を出力していない場合（ステップＳ５０５／ＮＯ）は、ＪＯＢの最終部を出力するまで、上記ステップＳ５０２、Ｓ５０３、Ｓ５０４の動作を繰り返し行う。ＪＯＢの最終部が出力されると（ステップＳ５０５／ＹＥＳ）、画像形成システムは停止する。
【００３３】
一方、製本モードとしてスティプル端面綴じモードが選択されていないと判断した場合（ステップＳ５０１／ＮＯ）、画像形成装置１は、Ｚ折りモードが選択されたか否かを判断する（ステップＳ５０６）。Ｚ折りモードが選択されていないと判断した場合（ステップＳ５０６／ＮＯ）、画像形成装置１は、サイズ混載モードが選択されたか否かを判断する（ステップＳ５０７）。サイズ混載モードも選択されていないと判断した場合（ステップＳ５０７／ＮＯ）は、印刷処理を開始する（ステップＳ５０８）。
【００３４】
印刷処理を開始すると、画像形成装置１は、部の最終紙を出力したか否かを判断し（ステップＳ５０９）、部の最終紙を出力していないと判断した場合（ステップＳ５０９／ＮＯ）は、上記ステップＳ５０９に戻り、部の最終紙を出力するまで印刷処理を続ける。部の最終紙が出力されると（ステップＳ５０９／ＹＥＳ）、各製本装置は、スティプル端面綴じ以外の製本動作を行う（ステップＳ５１０）。次に、画像形成装置１は、ＪＯＢの最終部を出力したか否かを判断し（ステップＳ５１１）、ＪＯＢの最終部を出力していない場合（ステップＳ５１１／ＮＯ）は、ＪＯＢの最終部を出力するまで、上記ステップＳ５０８、Ｓ５０９、Ｓ５１０の動作を繰り返し行う。ＪＯＢの最終部が出力されると（ステップＳ５１１／ＹＥＳ）、画像形成システムは停止する。
【００３５】
一方、上記ステップＳ５０７の処理で、サイズ混載モードが選択されたと判断した場合（ステップＳ５０７／ＹＥＳ）は、１枚目又は最終枚目（表紙又は裏表紙）にサイズ混載があるか否かを判断する（ステップＳ５１３）。１枚目又は最終枚目にサイズ混載がない場合（ステップＳ５１３／ＮＯ）は、画像形成システムは動作を停止し、画像形成システムを停止する旨とサイズ混載を禁止する旨の表示を出力する（ステップＳ５１４）。次に、画像形成装置１は表示部にサイズ混載モードなどの選択禁止を解除するか否かの選択入力画面を表示させ、サイズ混載モードなどの選択禁止を解除するか否かの選択入力をユーザに促す（ステップＳ５１５）。サイズ混載モードなどの選択禁止を解除する選択入力をユーザがした場合（ステップＳ５１５／ＹＥＳ）は、上記ステップＳ５０８の処理、すなわち画像形成装置１は印刷を開始し（ステップＳ５０８）、以降の動作は上述した処理と同様に、上記ステップＳ５０９、ステップＳ５１０、ステップＳ５１１の処理を行う。サイズ混載モードなどの選択禁止を解除する選択入力をユーザがしない場合（ステップＳ５１５／ＮＯ）は、画像形成システムは停止する。
【００３６】
上記ステップＳ５１３において、１枚目と最終枚目にサイズ混載があると判断した場合（ステップＳ５１３／ＹＥＳ）は、画像形成システムは動作を停止し、画像形成システムを停止する旨とサイズ混載を禁止する旨の表示を出力する（ステップＳ５１６）。次に、画像形成装置１は表示部にサイズ混載モードなどの選択禁止を解除するか否かの選択入力画面を表示させ、サイズ混載モードなどの選択禁止を解除するか否かの選択入力をユーザに促す（ステップＳ５１７）。サイズ混載モードなどの選択禁止を解除する選択入力をユーザがした場合（ステップＳ５１７／ＹＥＳ）は、上記ステップＳ５０８の処理、すなわち印刷を開始し（ステップＳ５０８）、以降の動作は上述した処理と同様に、上記ステップＳ５０９、ステップＳ５１０、ステップＳ５１１の処理を行う。サイズ混載モードなどの選択禁止を解除する選択入力をユーザがしない場合（ステップＳ５１７／ＮＯ）は、画像形成システムは停止する。
【００３７】
上記ステップＳ５０６の処理で、Ｚ折りモードが選択されたと判断した場合（ステップＳ５０６／ＹＥＳ）、画像形成装置１は、サイズ混載モードが選択されたか否かを判断する（ステップＳ５１２）。サイズ混載モードが選択されていないと判断した場合（ステップＳ５１２／ＮＯ）は、画像形成システムは動作を停止し、画像形成システムを停止する旨とＺ折り混載を禁止する旨の表示を出力する（ステップＳ５１６）。
【００３８】
次に、画像形成装置１は表示部にＺ折りモードなどの選択禁止を解除するか否かの選択入力画面を表示させ、Ｚ折りモードなどの選択禁止を解除するか否かの選択をユーザに促す（ステップＳ５１７）。Ｚ折りモードなどの選択禁止を解除する選択入力をユーザがした場合（ステップＳ５１７／ＹＥＳ）は、上記ステップＳ５０８の処理、すなわち画像形成装置１は印刷を開始し（ステップＳ５０８）、以降の動作は上述した処理と同様に、上記ステップＳ５０９、ステップＳ５１０、ステップＳ５１１の処理を行う。Ｚ折りモードなどの選択禁止を解除する選択入力をユーザがしない場合（ステップＳ５１８／ＮＯ）は、画像形成システムは停止する。
【００３９】
上記ステップＳ５１２の処理で、サイズ混載モードが選択されたと判断した場合（ステップＳ５１２／ＹＥＳ）は、１枚目又は最終枚目（表紙又は裏表紙）にＺ折り又はサイズ混載があるか否かを判断する（ステップＳ５１３）。１枚目又は最終枚目にＺ折り又はサイズ混載がない場合（ステップＳ５１３／ＮＯ）は、画像形成システムは動作を停止し、画像形成システムを停止する旨とＺ折り及びサイズ混載を禁止する旨の表示を出力する（ステップＳ５１４）。
【００４０】
次に、画像形成装置１は表示部にＺ折りモードやサイズ混載モードなどの選択禁止を解除するか否かの選択入力画面を表示させ、Ｚ折りモードやサイズ混載モードなどの選択禁止を解除するか否かの選択をユーザに促す（ステップＳ５１５）。Ｚ折りモードやサイズ混載モードなどの選択禁止を解除する選択入力をユーザがした場合（ステップＳ５１５／ＹＥＳ）は、上記ステップＳ５０８の処理、すなわち画像形成装置１は印刷を開始し（ステップＳ５０８）、以降の動作は上述した処理と同様に、上記ステップＳ５０９、ステップＳ５１０、ステップＳ５１１の処理を行う。Ｚ折りモードやサイズ混載モードなどの選択禁止を解除する選択入力をユーザがしない場合（ステップＳ５１５／ＮＯ）は、画像形成システムは停止する。
【００４１】
図７は、本実施形態に係る画像形成装置において、Ｚ折り用紙を混載可能にするための入力をユーザから受け付ける操作パネル３の例を示す。上述したようなユーザがＺ折り又はサイズ混載禁止を解除する操作は、本実施形態に係る画像形成装置１の表示装置付の操作パネル３における表示画面５０に装備されたタッチパネルの画面上のボタンに触れる事で入力操作が可能である。
【００４２】
図７（ａ）は、リングバインド２９での特殊設定の画面を示す。下部のタブ５１に触れることで操作画面が切り替わり、図示する画面が表示される。ユーザはこの画面から、リングバインド２９でページごとに給紙トレイやそのコピーのする／しない、パンチする／しない等の設定が可能である。本実施形態では、この設定画面に、Ｚ折り混載を行う設定とする入力キーを設けている。尚、Ｚ折り混載を行う設定とする入力キーと異サイズ混載を行う設定とする入力キーを共通の入力キーとすることも、異サイズ混載を行う設定とする入力キーを別に設けることも、もちろん可能である。
【００４３】
図７（ｂ）は、インサータ４から挿入する用紙の設定画面を示す。下部のタブ５２に触れることで操作画面が切り替わり、図示する画面が表示される。ユーザはこの画面から、インサータ４から挿入する用紙のパンチ解除や挿入ページの設定が可能である。
【００４４】
本実施形態により、ユーザがテープ製本、リング製本及びくるみ製本などのスティプル綴じ以外の製本モードを選択した場合、通常、用紙のＺ折り、異サイズ用紙混載、表紙裏表紙へのＺ折り混載及び表紙裏表紙への異サイズ混載を禁止するが、ユーザのＺ折りやサイズ混載禁止解除操作により、各種の混載を可能とすることができる。そのため、用紙束６０の揃え不良や綴じ不良の発生するリスクの少ない冊子のページ構成によっては、用紙のＺ折り、異サイズ用紙混載、表紙裏表紙へのＺ折り混載及び表紙裏表紙への異サイズ混載が可能な高機能な画像形成システムを提供する事が可能となる。
【００４５】
尚、本実施形態では、操作パネル３からユーザが混載禁止解除操作を行う例を示したが、これに限定されるものではなく、通常ユーザが操作する部分であれば適用することが可能である。
【００４６】
（実施形態３）
図６は、本実施形態に係る画像形成システムにおいて、テープ製本、リング製本及びくるみ製本などのスティプル綴じ以外の製本モードが選択入力された場合に、用紙のＺ折りの禁止、異サイズ混載の禁止、表紙裏表紙へのＺ折り混載の禁止及び表紙裏表紙への異サイズ混載の禁止動作をサービス担当者の操作により解除する処理の流れの例を示す。本実施形態では、テープ製本、リング製本及びくるみ製本などのスティプル綴じ以外の製本モードが選択入力された場合に、用紙のＺ折りの禁止、異サイズ混載の禁止、表紙裏表紙へのＺ折り混載の禁止及び表紙裏表紙への異サイズ混載の禁止動作をサービス担当者の操作により解除する処理の流れの例について、図６に示すフローチャートを用いて詳細に説明する。
【００４７】
まず、画像形成装置１は、操作パネル３により受け付けた製本モードの選択入力から、製本モードとしてスティプル端面綴じモードが選択されたか否かを判断する（ステップＳ６０１）。選択された製本モードがスティプル端面綴じモードであると判断した場合（ステップＳ６０１／ＹＥＳ）、画像形成装置１は、印刷処理を開始する（ステップＳ６０２）。画像形成装置１は、部の最終紙を出力したか否かを判断し（ステップＳ６０３）、部の最終紙を出力していないと判断した場合（ステップＳ６０３／ＮＯ）は、上記ステップＳ６０３に戻り、部の最終紙を出力するまで印刷処理を続ける。部の最終紙が出力されると（ステップＳ６０３／ＹＥＳ）、用紙後処理装置９は、スティプル綴じを行う（ステップＳ６０４）。次に、画像形成装置１は、ＪＯＢの最終部を出力したか否かを判断し（ステップＳ６０５）、ＪＯＢの最終部を出力していない場合（ステップＳ６０５／ＮＯ）は、ＪＯＢの最終部を出力するまで、上記ステップＳ６０２、Ｓ６０３、Ｓ６０４の動作を繰り返し行う。ＪＯＢの最終部が出力されると（ステップＳ６０５／ＹＥＳ）、画像形成システムは停止する。
【００４８】
一方、製本モードとしてスティプル端面綴じモードが選択されていないと判断した場合（ステップＳ６０１／ＮＯ）、画像形成装置１は、Ｚ折りモードが選択されたか否かを判断する（ステップＳ６０６）。Ｚ折りをモードが選択されていないと判断した場合（ステップＳ６０６／ＮＯ）、画像形成装置１は、サイズ混載モードが選択されたか否かを判断する（ステップＳ６０７）。サイズ混載モードも選択されていないと判断した（ステップＳ６０７／ＮＯ）は、印刷処理を開始する（ステップＳ６０８）。
【００４９】
印刷処理を開始すると、画像形成装置１は、部の最終紙を出力したか否かを判断し（ステップＳ６０９）、部の最終紙を出力していないと判断した場合（ステップＳ６０９／ＮＯ）は、上記ステップＳ６０９に戻り、部の最終紙を出力するまで印刷処理を続ける。部の最終紙が出力されると（ステップＳ６０９／ＹＥＳ）、各製本装置は、スティプル端面綴じ以外の製本動作を行う（ステップＳ６１０）。次に、画像形成装置１は、ＪＯＢの最終部を出力したか否かを判断し（ステップＳ６１１）、ＪＯＢの最終部を出力していない場合（ステップＳ６１１／ＮＯ）は、ＪＯＢの最終部を出力するまで、上記ステップＳ６０８、Ｓ６０９、Ｓ６１０の動作を繰り返し行う。ＪＯＢの最終部が出力されると（ステップＳ６１１／ＹＥＳ）、画像形成システムは停止する。
【００５０】
一方、上記ステップＳ６０７の処理で、サイズ混載モードが選択されたと判断した場合（ステップＳ６０７／ＹＥＳ）は、１枚目と最終枚目にサイズ混載があるか否かを判断する（ステップＳ６１３）。１枚目又は最終枚目にサイズ混載がない場合（ステップＳ６１３／ＮＯ）は、画像形成システムは動作を停止し、画像形成システムを停止する旨とサイズ混載を禁止する旨の表示を出力する（ステップＳ６１４）。次に、画像形成装置１は、サイズ混載モードなどの選択禁止を解除するか否かの入力をサービス担当者に促す（ステップＳ６１５）。サイズ混載モードなどの選択禁止を解除する入力をした場合（ステップＳ６１５／ＹＥＳ）は、上記ステップＳ６０８の処理、すなわち画像形成装置１は印刷を開始し（ステップＳ６０８）、以降の動作は上述した処理と同様に、上記ステップＳ６０９、ステップＳ６１０、ステップＳ６１１の処理を行う。サイズ混載モードなどの選択禁止を解除する入力をしない場合（ステップＳ６１５／ＮＯ）は、画像形成システムは停止する。
【００５１】
上記ステップＳ６１３において、１枚目と最終枚目にサイズ混載があると判断した場合（ステップＳ６１３／ＹＥＳ）は、画像形成システムは動作を停止し、画像形成システムを停止する旨とサイズ混載を禁止する旨の表示を出力する（ステップＳ６１６）。次に、画像形成装置１はサイズ混載モードなどの選択禁止を解除するか否かの選択をサービス担当者に促す（ステップＳ６１７）。サイズ混載モードなどの選択禁止を解除する入力をサービス担当者がした場合（ステップＳ６１７／ＹＥＳ）は、上記ステップＳ６０８の処理、すなわち印刷を開始し（ステップＳ６０８）、以降の動作は上述した処理と同様に、上記ステップＳ６０９、ステップＳ６１０、ステップＳ６１１の処理を行う。サイズ混載モードなどの選択禁止を解除する入力をサービス担当者がしない場合（ステップＳ６１７／ＮＯ）は、画像形成システムは停止する。
【００５２】
上記ステップＳ６０６の処理で、Ｚ折りモードが選択されたと判断した場合（ステップＳ６０６／ＹＥＳ）、画像形成装置１は、サイズ混載モードが選択されたか否かを判断する（ステップＳ６１２）。サイズ混載モードが選択されていないと判断した場合（ステップＳ６１２／ＮＯ）は、画像形成システムは動作を停止し、画像形成システムを停止する旨とＺ折り混載を禁止する旨の表示を出力する（ステップＳ６１６）。
【００５３】
次に、画像形成装置１は、Ｚ折りモードなどの選択禁止を解除するか否かの入力をサービス担当者に促す（ステップ６１７）。Ｚ折りモードなどの選択禁止を解除する入力をサービス担当者がした場合（ステップＳ６１７／ＹＥＳ）は、上記ステップＳ６０８の処理、すなわち画像形成装置１は印刷を開始し（ステップＳ６０８）、以降の動作は上述した処理と同様に、上記ステップＳ６０９、ステップＳ６１０、ステップＳ６１１の処理を行う。Ｚ折りモードなどの選択禁止を解除する入力をサービス担当者がしない場合（ステップＳ６１７／ＮＯ）は、画像形成システムは停止する。
【００５４】
上記ステップＳ６１２の処理で、サイズ混載モードが選択されたと判断した場合（ステップＳ６１２／ＹＥＳ）は、１枚目又は最終枚目（表紙又は裏表紙）にＺ折り又はサイズ混載があるか否かを判断する（ステップＳ６１３）。１枚目又は最終枚目にＺ折り又はサイズ混載がない場合（ステップＳ６１３／ＮＯ）は、画像形成システムは動作を停止し、画像形成システムを停止する旨とＺ折り及びサイズ混載を禁止する旨の表示を出力する（ステップＳ６１４）。
【００５５】
次に、画像形成装置１は、Ｚ折りモードやサイズ混載モードなどの選択禁止を解除するか否かの入力をサービス担当者に促す（ステップＳ６１５）。Ｚ折りモードやサイズ混載モードなどの選択禁止を解除する入力をサービス担当者がした場合（ステップＳ６１５／ＹＥＳ）は、上記ステップＳ６０８の処理、すなわち画像形成装置１は印刷を開始し（ステップＳ６０８）、以降の動作は上述した処理と同様に、上記ステップＳ６０９、ステップＳ６１０、ステップＳ６１１の処理を行う。Ｚ折りモードやサイズ混載モードなどの選択禁止を解除する入力をサービス担当者がしない場合（ステップＳ６１５／ＮＯ）は、画像形成システムは停止する。
【００５６】
本実施形態により、テープ製本、リング製本及びくるみ製本などのスティプル綴じ以外の製本モードを選択した場合、通常、用紙のＺ折り、異サイズ用紙混載、表紙裏表紙へのＺ折り混載及び表紙裏表紙への異サイズ混載を禁止するが、サービス担当者のＺ折りやサイズ混載禁止解除操作により、各種の混載を可能にすることができる。そのため、用紙束６０の揃え不良や綴じ不良の発生するリスクの少ない冊子のページ構成によっては、用紙のＺ折り、異サイズ用紙混載、表紙裏表紙へのＺ折り混載及び表紙裏表紙への異サイズ混載が可能な高機能な画像形成システムを提供する事が可能となる。
【００５７】
尚、本実施形態では、サービス担当者によるＺ折りやサイズ混載禁止解除操作は、システムの操作パネルなど、通常ユーザが操作する部分ではあっても、ユーザには情報開示されていない隠しコマンドの操作等によって、サービスモードに入り、そこで操作が行えるようにしている。あるいは、装置内部のハードウエア、例えば制御基板上のＤＩＰ  ＳＷ（Dual In-line Package SWitch）等での設定変更であってもよい。
【００５８】
図８は、リングバインド冊子へのＺ折り用紙の混載の例を示す図である。図８に示す図を用いて、混載時に問題となる冊子について説明する。図８の（ａ）、（ｂ）においてはＺ折り用紙の開く側が冊子の表面に露出していない為、冊子の全体厚さが、搬送において問題無い厚さ以内であればジャムや用紙のシワ発生などの不具合が発生する事が少ない。図８の（ｃ）においては、Ｚ折り用紙の開く側が搬送路に接触することになり、冊子の重さや用紙の厚さによっては、Ｚ折りした用紙がめくれたり、しわが発生したり、最悪はジャムが発生したりすることがある。図８の（ｄ）においては、冊子がふくらみ過ぎて、冊子先端の厚さが大きくなり過ぎ、搬送が困難になったりする。
【００５９】
このようにＺ折り用紙の混載等においては、混載位置や冊子のページ数、用紙の特性など、機械で判断するのは難しい場合が多い。その為、上述した実施形態に係る画像形成システムの例では、デフォルト状態ではＺ折り混載やサイズ混載を禁止とし、冊子の構成等を鑑みてオペレータ（ユーザ）の判断でＺ折り混載やサイズ混載の禁止を解除するという操作方法をとっている。このように実施形態に係る画像形成システムは、オペレータの判断で選択できる機能を有するので、より自由度の高い冊子を作成することが可能となる。一方、必ずしも上述したような判断ができるオペレータのみが操作するという環境で使用されない不特定多数ユーザが使用する環境においては、サービス担当者がサービスモードで禁止設定を行うことで、ユーザ操作画面からＺ折り混載やサイズ混載を行うキーを消し去り、Ｚ折り混載やサイズ混載を禁止に設定することが可能になっている。
【００６０】
（実施形態４）
図９は、本実施形態に係る画像形成システムにおいて、ユーザがテープ製本、リング製本及びくるみ製本などのスティプル綴じ以外の製本モードを選択入力した場合に、用紙のＺ折りの禁止及び異サイズ混載の禁止動作をユーザの操作により解除する処理の流れの例を示す。本実施形態では、ユーザがテープ製本、リング製本及びくるみ製本などのスティプル綴じ以外の製本モードを選択入力した場合に、用紙のＺ折りの禁止及び異サイズ混載の禁止動作をユーザの操作により解除する処理の流れの例について、図９に示すフローチャートを用いて詳細に説明する。
【００６１】
まず、画像形成装置１は、操作パネル３によりユーザから受け付けた製本モードの選択入力から、製本モードとしてスティプル端面綴じモードが選択されたか否かを判断する（ステップＳ９０１）。選択された製本モードがスティプル端面綴じモードであると判断した場合（ステップＳ９０１／ＹＥＳ）、画像形成装置１は、印刷処理を開始する（ステップＳ９０２）。画像形成装置１は、部の最終紙を出力したか否かを判断し（ステップＳ９０３）、部の最終紙を出力していないと判断した場合（ステップＳ９０３／ＮＯ）は、上記ステップＳ９０３に戻り、部の最終紙を出力するまで印刷処理を続ける。部の最終紙が出力されると（ステップＳ９０３／ＹＥＳ）、用紙後処理装置９は、スティプル綴じを行う（ステップＳ９０４）。次に、画像形成装置１は、ＪＯＢの最終部を出力したか否かを判断し（ステップＳ９０５）、ＪＯＢの最終部を出力していない場合（ステップＳ９０５／ＮＯ）は、ＪＯＢの最終部を出力するまで、上記ステップＳ９０２、Ｓ９０３、Ｓ９０４の動作を繰り返し行う。ＪＯＢの最終部が出力されると（ステップＳ９０５／ＹＥＳ）、画像形成システムは停止する。
【００６２】
一方、製本モードとしてスティプル端面綴じモードが選択されていないと判断した場合（ステップＳ９０１／ＮＯ）、画像形成装置１は、Ｚ折りモードが選択されたか否かを判断する（ステップＳ９０６）。Ｚ折りモードが選択されていないと判断した場合（ステップＳ９０６／ＮＯ）、画像形成装置１は、サイズ混載モードが選択されたか否かを判断する（ステップＳ９０７）。サイズ混載モードも選択されていないと判断した場合（ステップＳ９０７／ＮＯ）は、印刷処理を開始する（ステップＳ９０８）。
【００６３】
印刷処理を開始すると、画像形成装置１は、部の最終紙を出力したか否かを判断し（ステップＳ９０９）、部の最終紙を出力していないと判断した場合（ステップＳ９０９／ＮＯ）は、上記ステップＳ９０９に戻り、部の最終紙を出力するまで印刷処理を続ける。部の最終紙が出力されると（ステップＳ９０９／ＹＥＳ）、各製本装置は、スティプル端面綴じ以外の製本動作を行う（ステップＳ９１０）。次に、画像形成装置１は、ＪＯＢの最終部を出力したか否かを判断し（ステップＳ９１１）、ＪＯＢの最終部を出力していない場合（ステップＳ９１１／ＮＯ）は、ＪＯＢの最終部を出力するまで、上記ステップＳ９０８、Ｓ９０９、Ｓ９１０の動作を繰り返し行う。ＪＯＢの最終部が出力されると（ステップＳ９１１／ＹＥＳ）、画像形成システムは停止する。
【００６４】
一方、上記ステップＳ９０７の処理で、サイズ混載モードが選択されたと判断した場合（ステップＳ９０７／ＹＥＳ）は、１枚目又は最終枚目（表紙又は裏表紙）にサイズ混載があるか否かを判断する（ステップＳ９１３）。１枚目又は最終枚目にサイズ混載がない場合（ステップＳ９１３／ＮＯ）は、画像形成システムは動作を停止し、画像形成システムを停止する旨とサイズ混載を禁止する旨の表示を出力する（ステップＳ９１４）。次に、画像形成装置１は表示部にサイズ混載モードなどの選択禁止を解除するか否かの選択入力画面を表示させ、サイズ混載モードなどの選択禁止を解除するか否かの選択入力をユーザに促す（ステップＳ９１５）。サイズ混載モードなどの選択禁止を解除する選択入力をユーザがした場合（ステップＳ９１５／ＹＥＳ）は、上記ステップＳ９０８の処理、すなわち画像形成装置１は印刷を開始し（ステップＳ９０８）、以降の動作は上述した処理と同様に、上記ステップＳ９０９、ステップＳ９１０、ステップＳ９１１の処理を行う。サイズ混載モードなどの選択禁止を解除する選択入力をユーザがしない場合（ステップＳ９１５／ＮＯ）は、画像形成システムは停止する。
【００６５】
上記ステップＳ９１３において、１枚目と最終枚目にサイズ混載があると判断した場合（ステップＳ９１３／ＹＥＳ）は、画像形成システムを停止する旨とサイズ混載を禁止する旨の表示を出力し（ステップＳ９１９）、画像形成システムは動作を停止する。
【００６６】
上記ステップＳ９０６の処理で、Ｚ折りモードが選択されたと判断した場合（ステップＳ９０６／ＹＥＳ）、画像形成装置１は、サイズ混載モードが選択されたか否かを判断する（ステップＳ９１２）。サイズ混載モードが選択されていないと判断した場合（ステップＳ９１２／ＮＯ）は、１枚目又は最終枚目（表紙又は裏表紙）にＺ折り混載があるか否かを判断する（ステップＳ９１６）。１枚目又は最終枚目にＺ折り混載がない場合（ステップＳ９１６／ＮＯ）は、画像形成システムは動作を停止し、画像形成システムを停止する旨とＺ折り混載を禁止する旨の表示を出力する（ステップＳ９１７）。
【００６７】
次に、画像形成装置１は表示部にＺ折りモードなどの選択禁止を解除するか否かの選択入力画面を表示させ、Ｚ折りモードなどの選択禁止を解除するか否かの選択をユーザに促す（ステップＳ９１８）。Ｚ折りモードなどの選択禁止を解除する選択入力をユーザがした場合（ステップＳ９１８／ＹＥＳ）は、上記ステップＳ９０８の処理、すなわち画像形成装置１は印刷を開始し（ステップＳ９０８）、以降の動作は上述した処理と同様に、上記ステップＳ９０９、ステップＳ９１０、ステップＳ９１１の処理を行う。Ｚ折りモードなどの選択禁止を解除する選択入力をユーザがしない場合（ステップＳ９１８／ＮＯ）は、画像形成システムは停止する。
【００６８】
上記ステップＳ９１６において、１枚目と最終枚目にＺ折り混載があると判断した場合（ステップＳ９１６／ＹＥＳ）は、画像形成システムを停止する旨とＺ折混載を禁止する旨の表示を出力し（ステップＳ９１９）、画像形成システムは動作を停止する。
【００６９】
上記ステップＳ９１２の処理で、サイズ混載モードが選択されたと判断した場合（ステップＳ９１２／ＹＥＳ）は、１枚目又は最終枚目（表紙又は裏表紙）にＺ折り又はサイズ混載があるか否かを判断する（ステップＳ９１３）。１枚目又は最終枚目にＺ折り又はサイズ混載がない場合（ステップＳ９１３／ＮＯ）は、画像形成システムは動作を停止し、画像形成システムを停止する旨とＺ折り及びサイズ混載を禁止する旨の表示を出力する（ステップＳ９１４）。
【００７０】
次に、画像形成装置１は表示部にＺ折りモードやサイズ混載モードなどの選択禁止を解除するか否かの選択入力画面を表示させ、Ｚ折りモードやサイズ混載モードなどの選択禁止を解除するか否かの選択をユーザに促す（ステップＳ９１５）。Ｚ折りモードやサイズ混載モードなどの選択禁止を解除する選択入力をユーザがした場合（ステップＳ９１５／ＹＥＳ）は、上記ステップＳ９０８の処理、すなわち画像形成装置１は印刷を開始し（ステップＳ９０８）、以降の動作は上述した処理と同様に、上記ステップＳ９０９、ステップＳ９１０、ステップＳ９１１の処理を行う。Ｚ折りモードやサイズ混載モードなどの選択禁止を解除する選択入力をユーザがしない場合（ステップＳ９１５／ＮＯ）は、画像形成システムは停止する。
【００７１】
上記ステップＳ９１３において、１枚目と最終枚目にＺ折り又はサイズ混載があると判断した場合（ステップＳ５１３／ＹＥＳ）は、画像形成システムを停止する旨とＺ折混載及びサイズ混載を禁止する旨の表示を出力し（ステップＳ９１９）、画像形成システムは動作を停止する。
【００７２】
本実施形態により、ユーザがテープ製本、リング製本及びくるみ製本などのスティプル綴じ以外の製本モードを選択した場合であって、表紙裏表紙へのＺ折り又は異サイズ混載がない場合は、通常用紙のＺ折り及び異サイズ用紙混載を禁止するが、ユーザのＺ折りやサイズ混載禁止解除操作により、各種の混載を可能とすることができる。そのため、用紙束６０の揃え不良や綴じ不良の発生するリスクの少ない冊子のページ構成によっては、用紙のＺ折り及び異サイズ用紙混載が可能な高機能な画像形成システムを提供する事が可能となる。
【００７３】
（実施形態５）
図１０は、本実施形態に係る画像形成システムにおいて、テープ製本、リング製本及びくるみ製本などのスティプル綴じ以外の製本モードが選択入力された場合に、用紙のＺ折りの禁止及び異サイズ混載の禁止動作をサービス担当者の操作により解除する処理の流れの例を示す。本実施形態では、テープ製本、リング製本及びくるみ製本などのスティプル綴じ以外の製本モードが選択入力された場合に、用紙のＺ折りの禁止及び異サイズ混載の禁止動作をサービス担当者の操作により解除する処理の流れの例について、図１０に示すフローチャートを用いて詳細に説明する。
【００７４】
まず、画像形成装置１は、操作パネル３により受け付けた製本モードの選択入力から、製本モードとしてスティプル端面綴じモードが選択されたか否かを判断する（ステップＳ１００１）。選択された製本モードがスティプル端面綴じモードであると判断した場合（ステップＳ１００１／ＹＥＳ）、画像形成装置１は、印刷処理を開始する（ステップＳ１００２）。画像形成装置１は、部の最終紙を出力したか否かを判断し（ステップＳ１００３）、部の最終紙を出力していないと判断した場合（ステップＳ１００３／ＮＯ）は、上記ステップＳ１００３に戻り、部の最終紙を出力するまで印刷処理を続ける。部の最終紙が出力されると（ステップＳ１００３／ＹＥＳ）、用紙後処理装置９は、スティプル綴じを行う（ステップＳ１００４）。次に、画像形成装置１は、ＪＯＢの最終部を出力したか否かを判断し（ステップＳ１００５）、ＪＯＢの最終部を出力していない場合（ステップＳ１００５／ＮＯ）は、ＪＯＢの最終部を出力するまで、上記ステップＳ１００２、Ｓ１００３、Ｓ１００４の動作を繰り返し行う。ＪＯＢの最終部が出力されると（ステップＳ１００５／ＹＥＳ）、画像形成システムは停止する。
【００７５】
一方、製本モードとしてスティプル端面綴じモードが選択されていないと判断した場合（ステップＳ１００１／ＮＯ）、画像形成装置１は、Ｚ折りモードが選択されたか否かを判断する（ステップＳ１００６）。Ｚ折りをモードが選択されていないと判断した場合（ステップＳ１００６／ＮＯ）、画像形成装置１は、サイズ混載モードが選択されたか否かを判断する（ステップＳ１００７）。サイズ混載モードも選択されていないと判断した（ステップＳ１００７／ＮＯ）は、印刷処理を開始する（ステップＳ１００８）。
【００７６】
印刷処理を開始すると、画像形成装置１は、部の最終紙を出力したか否かを判断し（ステップＳ１００９）、部の最終紙を出力していないと判断した場合（ステップＳ１００９／ＮＯ）は、上記ステップＳ１００９に戻り、部の最終紙を出力するまで印刷処理を続ける。部の最終紙が出力されると（ステップＳ１００９／ＹＥＳ）、各製本装置は、スティプル端面綴じ以外の製本動作を行う（ステップＳ１０１０）。次に、画像形成装置１は、ＪＯＢの最終部を出力したか否かを判断し（ステップＳ１０１１）、ＪＯＢの最終部を出力していない場合（ステップＳ１０１１／ＮＯ）は、ＪＯＢの最終部を出力するまで、上記ステップＳ１００８、Ｓ１００９、Ｓ１０１０の動作を繰り返し行う。ＪＯＢの最終部が出力されると（ステップＳ１０１１／ＹＥＳ）、画像形成システムは停止する。
【００７７】
一方、上記ステップＳ１００７の処理で、サイズ混載モードが選択されたと判断した場合（ステップＳ１００７／ＹＥＳ）は、１枚目と最終枚目にサイズ混載があるか否かを判断する（ステップＳ１０１３）。１枚目又は最終枚目にサイズ混載がない場合（ステップＳ１０１３／ＮＯ）は、画像形成システムは動作を停止し、画像形成システムを停止する旨とサイズ混載を禁止する旨の表示を出力する（ステップＳ１０１４）。次に、画像形成装置１は、サイズ混載モードなどの選択禁止を解除するか否かの入力をサービス担当者に促す（ステップＳ１０１５）。サイズ混載モードなどの選択禁止を解除する入力をした場合（ステップＳ１０１５／ＹＥＳ）は、上記ステップＳ１００８の処理、すなわち画像形成装置１は印刷を開始し（ステップＳ１００８）、以降の動作は上述した処理と同様に、上記ステップＳ１００９、ステップＳ１０１０、ステップＳ１０１１の処理を行う。サイズ混載モードなどの選択禁止を解除する入力をしない場合（ステップＳ１０１５／ＮＯ）は、画像形成システムは停止する。
【００７８】
上記ステップＳ１０１３において、１枚目と最終枚目にサイズ混載があると判断した場合（ステップＳ１０１３／ＹＥＳ）は、画像形成システムを停止する旨とサイズ混載を禁止する旨の表示を出力し（ステップＳ１０１９）、画像形成システムは動作を停止する。
【００７９】
上記ステップＳ１００６の処理で、Ｚ折りモードが選択されたと判断した場合（ステップＳ１００６／ＹＥＳ）、画像形成装置１は、サイズ混載モードが選択されたか否かを判断する（ステップＳ１０１２）。サイズ混載モードが選択されていないと判断した場合（ステップＳ１０１２／ＮＯ）は、１枚目又は最終枚目（表紙又は裏表紙）にＺ折り混載があるか否かを判断する（ステップＳ１０１６）。１枚目又は最終枚目にＺ折り混載がない場合（ステップＳ１０１６／ＮＯ）は、画像形成システムは動作を停止し、画像形成システムを停止する旨とＺ折り混載を禁止する旨の表示を出力する（ステップＳ１０１７）。
【００８０】
次に、画像形成装置１は、Ｚ折りモードなどの選択禁止を解除するか否かの入力をサービス担当者に促す（ステップ１０１８）。Ｚ折りモードなどの選択禁止を解除する入力をサービス担当者がした場合（ステップＳ１０１８／ＹＥＳ）は、上記ステップＳ１００８の処理、すなわち画像形成装置１は印刷を開始し（ステップＳ１００８）、以降の動作は上述した処理と同様に、上記ステップＳ１００９、ステップＳ１０１０、ステップＳ１０１１の処理を行う。Ｚ折りモードなどの選択禁止を解除する入力をサービス担当者がしない場合（ステップＳ１０１８／ＮＯ）は、画像形成システムは停止する。
【００８１】
上記ステップＳ１０１６において、１枚目と最終枚目にＺ折り混載があると判断した場合（ステップＳ１０１６／ＹＥＳ）は、画像形成システムを停止する旨とＺ折り混載を禁止する旨の表示を出力し（ステップＳ１０１９）、画像形成システムは動作を停止する。
【００８２】
上記ステップＳ１０１２の処理で、サイズ混載モードが選択されたと判断した場合（ステップＳ１０１２／ＹＥＳ）は、１枚目又は最終枚目（表紙又は裏表紙）にＺ折り又はサイズ混載があるか否かを判断する（ステップＳ１０１３）。１枚目又は最終枚目にＺ折り又はサイズ混載がない場合（ステップＳ１０１３／ＮＯ）は、画像形成システムは動作を停止し、画像形成システムを停止する旨とＺ折り及びサイズ混載を禁止する旨の表示を出力する（ステップＳ１０１４）。
【００８３】
次に、画像形成装置１は、Ｚ折りモードやサイズ混載モードなどの選択禁止を解除するか否かの入力をサービス担当者に促す（ステップＳ１０１５）。Ｚ折りモードやサイズ混載モードなどの選択禁止を解除する入力をサービス担当者がした場合（ステップＳ１０１５／ＹＥＳ）は、上記ステップＳ１００８の処理、すなわち画像形成装置１は印刷を開始し（ステップＳ１００８）、以降の動作は上述した処理と同様に、上記ステップＳ１００９、ステップＳ１０１０、ステップＳ１０１１の処理を行う。Ｚ折りモードやサイズ混載モードなどの選択禁止を解除する入力をサービス担当者がしない場合（ステップＳ１０１５／ＮＯ）は、画像形成システムは停止する。
【００８４】
上記ステップＳ１０１３において、１枚目と最終枚目にＺ折り又はサイズ混載があると判断した場合（ステップＳ１０１３／ＹＥＳ）は、画像形成システムを停止する旨とＺ折り混載及びサイズ混載を禁止する旨の表示を出力し（ステップＳ１０１９）、画像形成システムは動作を停止する。
【００８５】
本実施形態により、テープ製本、リング製本及びくるみ製本などのスティプル綴じ以外の製本モードを選択した場合であって、表紙裏表紙へのＺ折り又は異サイズ混載がない場合は、通常用紙のＺ折り及び異サイズ用紙混載を禁止するが、サービス担当者のＺ折りやサイズ混載禁止解除操作により、各種の混載を可能にすることができる。そのため、用紙束６０の揃え不良や綴じ不良の発生するリスクの少ない冊子のページ構成によっては、用紙のＺ折り及び異サイズ用紙混載が可能な高機能な画像形成システムを提供する事が可能となる。
【００８６】
尚、上記実施形態１〜５では、用紙のＺ折りの禁止、異サイズ混載の禁止、表紙裏表紙へのＺ折り混載の禁止及び表紙裏表紙への異サイズ混載の禁止を動作させる処理又は禁止を解除する処理の例について説明したが、これに限定されるものではない。
【００８７】
以上好適な実施の形態に基づき具体的に説明したが、本発明は上述した画像形成システム及び画像形成装置に限定されるものではなく、その要旨を逸脱しない範囲で種々変更可能であるということは言うまでもない。
【符号の説明】
【００８８】
１    画像形成装置
２    ＡＤＦ
３    表示装置付きの操作パネル
４    インサータ
５、６    用紙トレイ
７    Ｚ折り装置
８    リングバインダー装置
９    用紙後処理装置
１０    水平搬送路
１１    反転ローラ
１２    切り替え爪
１３    整合トレイ
１４    ジョガー
１５    搬送ローラ
１６    パンチユニット
１７    ダイ
１８    ポンチ
１９    カム
２０    突き当てストッパ
２１    整合トレイ
２３    横揃えジョガー
２４    タタキコロ
２５    クランプ
２６    リングカートリッジ保持部
２７    リングカートリッジ
２８    リング
２９    リングバインド部
３０    束搬送部
３１    放出爪
３２    最終束搬送部
３４    スタックトレイ
５０    表示画面
５１    タブ
５２    タブ
６０    用紙束
６２    パンチ穴
６３    リング
【先行技術文献】
【特許文献】
【００８９】
【特許文献１】特許第３８６４６５３号公報
【特許文献２】特許第３８３４８０９号公報
【特許文献３】特開２００５−２６６２４５号公報
【図１】
0005369698.tif 000002
【図２】
0005369698.tif 000003
【図３】
0005369698.tif 000004
【図４】
0005369698.tif 000005
【図５】
0005369698.tif 000006
【図６】
0005369698.tif 000007
【図７】
0005369698.tif 000008
【図８】
0005369698.tif 000009
【図９】
0005369698.tif 000010
【図１０】
0005369698.tif 000011